(57)【要約】【課題】処理結果を原稿に印刷可能であるかどうかを判定し、印刷可能であれば別途印刷用紙を用意することなく処理結果を原稿に印刷する仕組みを提供する。【解決手段】画像形成装置は、原稿を読み取って画像情報を取得し、取得した画像情報を処理し、処理結果を原稿に形成するか否かを判定し、処理結果を原稿に形成すると判定すると、処理結果を原稿に形成し、処理結果を原稿に形成しないと判定すると、処理結果を原稿とは異なる用紙に形成する。【選択図】  図１２
2015046792.tif 000002
【特許請求の範囲】
【請求項１】
画像形成装置であって、
原稿を読み取って画像情報を取得する読取手段と、
前記読取手段によって取得した画像情報を処理する処理手段と、
前記処理手段による処理結果を前記原稿に形成するか否かを判定する判定手段と、
前記判定手段によって前記処理結果を前記原稿に形成すると判定されると、該処理結果を該原稿に形成し、前記判定手段によって前記処理結果を前記原稿に形成しないと判定されると、該処理結果を該原稿とは異なる用紙に形成する形成手段と
を備えることを特徴とする画像形成装置。
【請求項２】
前記処理結果を簡易的に形成するか、または、詳細に形成するかを設定する設定手段をさらに備え、
前記判定手段は、
前記設定手段によって前記処理結果を簡易的に形成することが設定されている場合には該処理結果を前記原稿の表面に形成すると判定し、
前記設定手段によって前記処理結果を詳細に形成することが設定されている場合であって、かつ、前記原稿が片面印刷されている場合には、前記処理結果を前記原稿の裏面に形成すると判定し、
前記設定手段によって前記処理結果を詳細に形成することが設定されている場合であって、かつ、前記原稿が両面印刷されている場合には、前記処理結果を前記原稿とは異なる用紙に形成すると判定することを特徴とする請求項１に記載の画像形成装置。
【請求項３】
前記設定手段は、さらに、前記処理結果を形成する用紙の消費を減らすための設定を行い、
前記判定手段は、
前記設定が行われていない場合は、前記処理結果を詳細に形成することが設定されている場合であっても、常に前記処理結果を前記原稿とは異なる用紙に形成すると判定することを特徴とする請求項２に記載の画像形成装置。
【請求項４】
前記設定手段は、さらに、複数枚の前記原稿を前記読取手段によって読み取る場合に、前記複数枚の原稿の処理結果を一括して形成するか否かを設定し、
前記判定手段は、
前記設定手段によって前記複数枚の原稿の処理結果を一括して形成すると設定されている場合であって、かつ、前記処理結果を詳細に形成することが設定されている場合には、前記読取手段によって最後の原稿の読取が終了した後に、該最後の原稿が片面印刷されているか、または、両面印刷されているかによって、前記処理結果を前記最後の原稿の裏面に一括して形成するか、前記原稿とは異なる用紙に一括して形成するかを判定することを特徴とする請求項２または３に記載の画像形成装置。
【請求項５】
搬送している前記原稿または用紙に関してジャムが発生したか否かを検知する検知手段をさらに備え、
前記設定手段は、さらに、前記原稿の読取中または前記処理結果の形成中に、前記検知手段によって搬送している前記原稿または用紙に関してジャムが発生したと検知された場合に、ジャムが発生した用紙とは異なる用紙に前記処理結果を形成するか否かを設定し、
前記形成手段は、前記検知手段によってジャムが発生したと検知され、かつ、前記設定手段によってジャムが発生した用紙とは異なる用紙に前記処理結果を形成すると設定されている場合には、前記ジャムが解消されると、前記ジャムが発生した用紙とは異なる用紙に前記処理結果を再形成することを特徴とする請求項２乃至４の何れか１項に記載の画像形成装置。
【請求項６】
前記設定手段は、さらに、前記ジャムが解消した後に前記処理結果を前記ジャムが発生した用紙とは異なる用紙に再形成する際に、前記原稿の画像を形成するか否か設定し、
前記形成手段は、前記設定手段によって前記原稿の画像を形成すると設定されている場合に、前記ジャムが発生した用紙とは異なる用紙に対して、前記処理結果に加えて、前記原稿の画像を形成することを特徴とする請求項５に記載の画像形成装置。
【請求項７】
前記形成手段は、
前記処理結果を簡易的に形成する場合に、処理が完了したことを示すスタンプを形成し、
前記処理結果を詳細に形成する場合に、前記処理結果の詳細なレポートを形成することを特徴とする請求項１乃至６の何れか１項に記載の画像形成装置。
【請求項８】
前記原稿を搬送する搬送手段をさらに備え、
前記搬送手段は、
前記原稿の画像を前記読取手段で読み取った後に、前記原稿に対して前記処理結果を形成する場合は、前記形成手段が画像を形成する位置に前記原稿を搬送し、前記原稿とは異なる用紙に前記処理結果を形成する場合は、該原稿を機外に排出することを特徴とする請求項１乃至７の何れか１項に記載の画像形成装置。
【請求項９】
前記原稿を前記読取手段に搬送する搬送路と、前記形成手段によって用紙の表面に画像を形成した後に、該用紙の裏面に画像を形成するために用紙を反転して再び前記形成手段に搬送するための両面搬送路とが共用されていることを特徴とする請求項８に記載の画像形成装置。
【請求項１０】
前記読取手段は、移動自在に配置され、前記原稿の第１面を読み取る際には前記両面搬送路を搬送される原稿の画像を読み取る位置に移動し、前記原稿の前記第１面の裏面である第２面を読み取る際には前記原稿を排出するための搬送路に移動することを特徴とする請求項９に記載の画像形成装置。
【請求項１１】
前記処理手段は、前記読取手段によって読み取られた画像情報を外部装置へ送信する送信手段であることを特徴とする請求項１乃至１０の何れか１項に記載の画像形成装置。
【請求項１２】
画像形成装置の制御方法であって、
読取手段が、原稿を読み取って画像情報を取得する読取工程と、
処理手段が、前記読取工程で取得した画像情報を処理する処理工程と、
判定手段が、前記処理工程による処理結果を前記原稿に形成するか否かを判定する判定工程と、
形成手段が、前記判定工程で前記処理結果を前記原稿に形成すると判定されると、該処理結果を該原稿に形成し、前記判定工程で前記処理結果を前記原稿に形成しないと判定されると、該処理結果を該原稿とは異なる用紙に形成する形成工程と
を実行することを特徴とする画像形成装置の制御方法。
【請求項１３】
請求項１乃至１１の何れか１項の画像形成装置としてコンピュータを機能させるための該コンピュータで読み取り可能なプログラム。
【発明の詳細な説明】
【技術分野】
【０００１】
本発明は、原稿の画像を読み取って処理する画像形成装置、その制御方法、及びプログラムに関するものである。
【背景技術】
【０００２】
現行の画像形成装置においては、原稿搬送式の画像読取部の原稿搬送系統と、印刷紙に対する印刷部の印刷紙搬送系統は互に独立に構成されているのが一般的である。即ち、原稿搬送系統と印刷紙搬送系統とは、原稿又は印刷紙の給紙部、所定の搬送経路を構成するガイド部材、複数の搬送ローラ、駆動源であるモータ、同モータの駆動回路や、排紙部等が、互に独立してそれぞれに配設されている。したがって、画像形成装置の全体的な機構構成の複雑化、コストの増大及び装置サイズの大型化が避けられなかった。特許文献１では、給紙部から排紙部に至る転写紙の搬送経路中に画像読取部を配設することで、原稿搬送系統と転写紙搬送系統を共通利用することにより、構成の簡素化と、コストダウン及びサイズダウンを提案している。
【０００３】
上述のような画像形成装置の場合、給紙段の原稿に対して印刷部で印刷する前に、読取部によってその給紙段の原稿を読み取り、原稿の画像情報を取得した後に、給紙段の原稿に対して印刷することが可能である。また、このような画像形成装置において、すでに原稿の片面又は両面が印刷済みである原稿に対して、印刷することが可能な紙搬送経路や印刷部を有するものも存在する。この用途としては、すでに印刷されている原稿に対して重ねて印刷する上書き印刷などがある。また、従来、読み取った原稿の画像を送信した後、送信結果を印刷用のシートにレポートとして印刷して排紙する機能が知られている。このような機能によれば、ユーザは、原稿の画像の送信が正常に行われたかどうかを、レポートを見ることによって確認することができる。
【先行技術文献】
【特許文献】
【０００４】
【特許文献１】特開２０００−１８５８８１号公報
【発明の概要】
【発明が解決しようとする課題】
【０００５】
しかしながら、上記従来技術には以下に記載する問題がある。上記従来技術においては、送信結果のレポートを原稿とは別の印刷用紙に印刷している。つまり、従来技術では、レポートの印刷用に別途印刷用紙を給送し、印刷することが必要である。しかし、読み取った原稿が片面のみ印刷された原稿であれば、裏面に送信結果印刷を行うことで用紙の節約を行うことが可能である。したがって、原稿に対してレポートを印刷できるのであれば、別途印刷用の用紙を用意することなく、原稿を利用することが望ましい。
【０００６】
本発明は、上述の問題に鑑みて成されたものであり、処理結果を原稿に印刷可能であるかどうかを判定し、印刷可能であれば別途印刷用紙を用意することなく処理結果を原稿に印刷する仕組みを提供することを目的とする。
【課題を解決するための手段】
【０００７】
本発明は、画像形成装置であって、原稿を読み取って画像情報を取得する読取手段と、前記読取手段によって取得した画像情報を処理する処理手段と、前記処理手段による処理結果を前記原稿に形成するか否かを判定する判定手段と、前記判定手段によって前記処理結果を前記原稿に形成すると判定されると、該処理結果を該原稿に形成し、前記判定手段によって前記処理結果を前記原稿に形成しないと判定されると、該処理結果を該原稿とは異なる用紙に形成することを特徴とする。
【発明の効果】
【０００８】
本発明は、処理結果を原稿に印刷可能であるかどうかを判定し、印刷可能であれば別途印刷用紙を用意することなく処理結果を原稿に印刷することができる。
【図面の簡単な説明】
【０００９】
【図１】複合機能付画像形成装置の概略図。
【図２】両面印刷プロセスの説明図。
【図３】原稿表面の読み取り開始時の説明図。
【図４】原稿表面である第１面目の読み取り終了時の説明図。
【図５】原稿裏面である第２面目の読み取り開始時の説明図。
【図６】原稿裏面の読み取り終了時の説明図。
【図７】記録材Ｓへの画像形成が完了を説明する図。
【図８】制御部５の動作を説明する図。
【図９】画像読取部の構成を説明する図。
【図１０】一実施形態における送信処理設定画面。
【図１１】一実施形態における送信結果印刷を行った原稿の例。
【図１２】第１の実施形態における送信結果印刷の流れを示すフローチャート。
【図１３】第２の実施形態における送信結果印刷の流れを示すフローチャート。
【図１４】第３の実施形態における送信結果印刷の流れを示すフローチャート。
【発明を実施するための形態】
【００１０】
以下、添付図面を参照して本発明の実施形態を詳しく説明する。なお、以下の実施形態は特許請求の範囲に係る本発明を限定するものでなく、また本実施形態で説明されている特徴の組み合わせの全てが本発明の解決手段に必須のものとは限らない。
【００１１】
＜第１の実施形態＞
＜画像形成装置の構成及びプロセス＞
以下では、図１乃至図１２を参照して、本発明の第１の実施形態について説明する。まず図１乃至図７を参照して、本発明を適用する画像形成装置の構成、及び画像形成プロセスについて説明する。
【００１２】
まず、図１を参照して、片面印刷プロセスについて説明する。画像形成装置１の中央には、像担持体となる回転可能な感光ドラム１０と、感光ドラム１０と並接し、トナーを保持しながら回転する現像ローラ１１が配置されている。印刷信号を受けると、光学ユニット２が具備する発光部２１が、回転する感光ドラム１０の表面にレーザ光を照射する。レーザ光を照射された感光ドラム１０の表面には、電荷による潜像画像が形成される。現像ローラ１１が回転しながら、感光ドラム１０表面の潜像画像に、保持しているトナーを供給すると、感光ドラム１０の表面には、トナー画像が形成される。
【００１３】
一方、第１給紙部３０に収納された記録材（印字紙、用紙とも称する。）Ｓは、ＣＳＴピックアップローラ３１と分離部３２により、一枚ずつ搬送ローラ４０に向けて搬送される。搬送ローラ４０は、感光ドラム１０の表面のトナー画像の先端位置と、記録材Ｓの先端位置とのタイミングを合わせるように、記録材Ｓを転写部１５へと搬送する。感光ドラム１０の回転により転写部１５に搬送されるトナー画像は、転写部１５に付与される印加バイアスと圧力によって、記録材Ｓに転写される。
【００１４】
更に、転写部１５は、記録材Ｓを定着部５０に搬送する。定着部５０では、回転可能な加熱ローラ５１からの熱と、加熱ローラ５１と対向し、回転可能な加圧ローラ５２の圧力が、トナー画像を記録材Ｓに定着させる。トナー画像を定着された記録材Ｓは、排紙ローラ６０に搬送される。片面印刷の場合、排紙ローラ６０は記録材Ｓをそのまま機外へ搬送する。これにより、記録材Ｓは第１排紙部７０に積載される。また画像形成装置１の構成物は図８にて後述する電装８００によって制御されている。
【００１５】
図２を参照して、両面印刷プロセスについて説明する。ここでは、上記片面印刷プロセスにおける排紙ローラ６０の動作以降のプロセスについて説明する。それまでのプロセスは、片面印刷プロセスと同様であるため省略する。両面フラッパ６１は、記録材Ｓの後端が通過した後、搬送路を切り替える。この状態においては、記録材Ｓは、その一方の端部が第１排紙部７０に排出されている状態となるが、他方の端部は排紙ローラ６０に挟持されている状態となる。その後、排紙ローラ６０は、逆回転し、記録材Ｓを両面搬送路８０へ搬送する。即ち、記録材Ｓは第１排紙部７０とは逆方向に搬送される。スイッチバックした記録材Ｓは、搬送ローラ４１を介して画像読取部１００に搬送される。その後、記録材Ｓは、搬送ローラ４２、搬送ローラ４０に順に搬送され、再び転写部１５へ搬送され、第１面目の裏面となる第２面目へのトナー画像の転写、定着を経て、第１排紙部７０に積載されていく。また、両面搬送路８０は、原稿を画像読取部１００に搬送する搬送路と共用されている。
【００１６】
図３を参照して、原稿情報の読み取りと、記録材への両面印刷を実施するプロセスについて説明する。第２給紙部９０に収納された原稿Ｇは、ＣＩＳピックアップローラ９１と分離部９２により、一枚ずつ搬送ローラ４１に搬送される。一方、画像読取部１００は、移動自在に設けられ、第２給紙部９０から給紙された原稿Ｇが原稿表面である第１面目の読み取り開始前までに白基準部材１０１への発光と、白基準値の修正を実施した後、両面搬送路８０に対面する位置に回転する。具体的には、画像読取部１００は、例えば、図２に示す位置から図３に示す位置に回転して移動する。即ち、画像読取部１００は、移動可能に設けられている。搬送ローラ４１は、原稿Ｇを、画像読取部１００に搬送する。既に画像読取部１００は両面搬送路８０に対面する位置に待機しており、画像読取部１００で読み取られた情報は、図８にて後述する画像メモリ８０４に原稿第１面目の情報として記憶される。なお、白基準部材１０１は、下向きに配置されており、ごみ付着に対する配慮がなされていることを追記しておく。
【００１７】
図４は、原稿表面である第１面目の読み取り終了後の様子を示す。画像読取部１００を通過した原稿Ｇは、搬送ローラ４２に搬送される。搬送ローラ４２は、原稿Ｇの後端がスイッチバックフラッパ８２を通過した時点で停止する。よって、原稿Ｇは搬送ローラ４２に挟持された状態で停止している。所定時間の経過後、原稿専用搬送路８１へ搬送され、原稿表面の読取のみが目的である場合は、図６に示すように、そのまま第２排紙部１１０に排紙される。
【００１８】
図５は、原稿裏面である第２面目の読み取り開始時の様子を示す。スイッチバックフラッパ８２が搬送路を、両面搬送路８０から原稿専用搬送路８１に切り替えると同時に、画像読取部１００は、図５に示すように、原稿専用搬送路８１に対面する位置に回転する。搬送ローラ４２が逆回転すると、原稿Ｇは、原稿専用搬送路８１に沿って、画像読取部１００に搬送される。原稿Ｇが画像読取部１００に搬送され通過することで、原稿裏面である第２面目の情報が読み取られ、画像メモリ８０４に原稿第２面目の情報が記憶される。
【００１９】
ここで、原稿から読み取った両面の情報を記録材Ｓに形成する動作について以下に説明する。ここでは、まず、記録材Ｓに原稿第２面目の画像を形成する。第１の給紙部３０から給紙された記録材Ｓが、１枚ずつ搬送ローラ４０に搬送される。ほぼ同時に画像メモリ８０４に記憶された原稿裏面である第２面目の情報を基に発光部２１から先の画像情報に基づく感光ドラム１０への潜像画像が形成される。次に記録材Ｓは、転写部１５で潜像画像により形成されたトナー画像を転写されたのち、定着部５０等を搬送され、原稿第２面目の画像形成が完了する。なお、図５では、原稿裏面である第２面の情報を読み取り開始とともに記録材Ｓの給紙を開始しているが、第２面の情報を読み取った後に記録材Ｓを搬送してもよい。
【００２０】
図６は、原稿裏面の読み取り終了時の様子を示す。画像読み取りを終了した原稿Ｇは、搬送ローラ４３及び４４に搬送され、第２排紙部１１０に積載される。スイッチバックフラッパ８２は、原稿Ｇの後端が通過すると、記録材Ｓが搬送ローラ４０の方向に搬送されるよう、搬送路を原稿専用搬送路８１から両面搬送路８０へ切り替える。原稿第２面目の画像形成が完了した記録材Ｓは、排紙ローラ６０の逆回転によって、記録材Ｓを両面フラッパ６１によって切り替えられた両面搬送路８０に向けて搬送する。
【００２１】
図７は、記録材Ｓへの画像形成が完了した際の様子を示す。両面搬送路８０に搬送された記録材Ｓは、反転している画像読取部１００を通過し、搬送ローラ４２を介して、搬送ローラ４０に搬送される。更に搬送され破線で記載されている記録材Ｓにあるように再び転写部１５へ搬送される。記録材Ｓには、既に原稿第２面目の画像形成が終了しており、画像メモリ８０４に記憶された原稿第１面目の画像情報に基づき、原稿第１面目の画像が形成される。具体的には、光学ユニット２、感光ドラム１０、現像ローラ１１、転写部１５、及び定着部５０を含む画像形成部によってトナー画像の転写及び定着を経て、第１排紙部７０に積載される。
【００２２】
＜制御構成＞
次に、図８を参照して、画像形成装置１の制御部である制御ＣＰＵ８０１を中心とした電装８００の構成、及び画像形成動作における制御ＣＰＵ８０１及びＡＳＩＣ８０２の動作について説明する。図８において、制御ＣＰＵ８０１は、ポリゴンミラー、モータ及びレーザ発光素子などを含む発光部２１に、ＡＳＩＣ８０２を介して接続される。また、制御ＣＰＵ８０１は、感光ドラム１０の表面上にレーザ光を走査することにより所望の潜像を形成するため、ＡＳＩＣ８０２に対して制御信号を出力することによって光学ユニット２の制御を行う。
【００２３】
制御ＣＰＵ８０１は、記録材Ｓを搬送するためにＣＳＴピックアップローラ３１及び搬送ローラ４０、感光ドラム１０、転写部１５、加熱ローラ５１、メインモータ８３０、ＣＳＴ給紙ソレノイド８２２、及び両面駆動モータ８４０等の駆動系を制御する。メインモータ８３０は、加圧ローラ５２を駆動するためのモータである。ＣＳＴ給紙ソレノイド８２２は、記録材Ｓを給紙する給紙ローラの駆動開始時にオンしてＣＳＴピックアップローラ３１を駆動させる。両面駆動モータ８４０は、ＣＩＳピックアップローラ９１と搬送ローラ４１、４４を駆動する。さらに、制御ＣＰＵ８０１は、電子写真プロセスに必要な１次帯電、現像、１次転写、２次転写バイアスを制御する高電圧電源８１０、並びに定着部５０及び低電圧電源８１１を制御する。さらに、制御ＣＰＵ８０１は、定着部５０に設けられたサーミスタにより温度をモニタし、定着温度を一定に保つ制御を行う。
【００２４】
また、制御ＣＰＵ８０１は、バス等を介してプログラムメモリ８０３に接続されている。プログラムメモリ８０３には、上述した制御及び後述する各実施形態において制御ＣＰＵ８０１が行う処理のすべて又は一部を実行するためのプログラムや、データが格納される。即ち、制御ＣＰＵ８０１は、プログラムメモリ８０３に格納されたプログラム及びデータを用いて本発明の各実施形態の動作を実行することができる。なお、プログラムメモリ８０３には、制御ＣＰＵ８０１が処理を行う上で必要となる一次的な算出結果なども格納される。
【００２５】
ＡＳＩＣ８０２は、制御ＣＰＵ８０１の指示に基づいて光学部２１内部のモータ速度制御、メインモータ８３０及び両面駆動モータ８４０の速度制御を行う。モータの速度制御は、モータからのタック信号（モータが回転されるごとにモータから出力されるパルス信号）を検出して、タック信号の間隔が所定の時間となるようモータに対し加速又は減速信号を出力して行う。このように、制御回路は、ＡＳＩＣ８０２のハードウエアによる回路で構成したほうが、制御ＣＰＵ８０１の制御負荷の低減が図れるメリットがある。
【００２６】
制御ＣＰＵ８０１は、ホストコンピュータから指示されたプリントコマンドを受信すると、メインモータ８３０、両面駆動モータ８４０、及びＣＳＴ給紙ソレノイド８２２を駆動して記録材Ｓを搬送する。記録材Ｓは、転写部１５により感光ドラム１０の表面に形成されたトナー像が転写された後、定着部５０によりトナー像が定着されてから、排紙ローラ６０により第１排紙部７０へ排出される。画像形成済み記録材の整列性を高めるため、第１排紙部７０は排紙口付近から記録材排出方向に向けてゆるやかな上り勾配が設けられている。ここで、制御ＣＰＵ８０１は、定着部５０に対して低電圧電源８１１を介して所定の電力を供給することよって所望の熱量を発生させて記録材Ｓに与え、記録材Ｓ上のトナー画像を融着し定着させる。
【００２７】
＜原稿読取動作＞
続いて、本実施形態における原稿読取動作について説明する。制御ＣＰＵ８０１は、ホストコンピュータから指示されたスキャンコマンドを受信すると、両面フラッパソレノイド８２０及び両面駆動モータ８４０を駆動し、ＣＩＳ給紙ソレノイドを操作する。これにより、両面駆動モータ８４０のトルクをＣＩＳピックアップローラ９１に伝達させ、原稿Ｇを搬送することができる。また、画像読取部１００は、後述する各種制御信号であるＣＩＳＬＥＤ、ＣＩＳＳＴＡＲＴ、ＳＹＳＣＬＫ、Ｓｌ＿ｉｎ、Ｓｌ＿ｓｅｌｅｃｔ、及びＳｌ＿ｏｕｔによりＡＳＩＣ８０２に接続されている。制御ＣＰＵ８０１は、ＡＳＩＣ８０２を介して各種制御により画像読取部１００から読み取った画像をＡＳＩＣ８０２に接続されている画像メモリ８０４に保存する。その後、制御ＣＰＵ８０１は、スイッチバックソレノイド８２１を操作して、スイッチバックフラッパ８２を原稿専用搬送路側に倒し、両面駆動モータ８４０を反転し、原稿Ｇを第２排紙部１１０まで搬送をする。
【００２８】
＜通信動作＞
続いて、本実施形態における通信動作について説明する。制御ＣＰＵ８０１は、ネットワークインタフェース８５０を介してネットワーク１０００に接続することで、画像情報やデバイス情報の入出力を行う。制御ＣＰＵ８０１は、操作部２０００から入力された指示を、操作部インタフェース２００１から受け取り、指示の内容を判断する。本実施形態では、この操作部２０００はタッチパネル式の液晶画面を含む表示部で構成されたローカルＵＩを想定しているが、特に限定はせず、ボタン選択式のローカルＵＩでも、前述のネットワーク１０００を介すリモートＵＩでもよい。
【００２９】
＜原稿読取部の構成＞
次に、図９を参照して、画像読取部１００の詳細な構成について説明する。図９は、ＣＩＳセンサ（Ｃｏｎｔａｃｔ  Ｉｍａｇｅ  Ｓｅｎｓｏｒ）の回路ブロック図を示す。図９に示すように、９０１はコンタクトイメージセンサ部分であり、例えば１０３６８画素分のフォトダイオードが特定の主走査密度（例えば１２００ｄｐｉ）でアレイ状に配置される。９０２及び９１５は、ＣＩＳセンサ部９０１に与えるスタートパルスＣＩＳＳＴＡＲＴ信号及び転送クロックＣＩＳＣＬＫである。９１４は、ＣＩＳセンサ部の動作速度を決めるシステムクロックＳＹＳＣＬＫである。９０８は、Ａ／Ｄコンバータである。９１６は、Ａ／Ｄコンバータのサンプリング速度を決定するＣＩＳサンプリングクロックＡＤＣＬＫである。９１７は、タイミングジェネレータである。９０４は、出力バッファである。９０５は、シフトレジスタである。９０３は、発光素子制御信号である。９０６は、電流増幅部である。９０７は、原稿Ｇを均一に照射する発光素子である。
【００３０】
次に動作について説明する。ＣＩＳＳＴＡＲＴ信号９０２をアクティブとすると、ＣＩＳセンサ部９０１は、受光した光に基づく電荷の蓄積を開始し、出力バッファ９０４にデータを順次セットする。続いて、転送クロックＣＩＳＣＬＫ９１５（例えば、５００ｋＨｚ〜１ＭＨｚ程度）を与えると、出力バッファ９０４にセットされたデータは、シフトレジスタ９０５によって、ＣＩＳＳＮＳ信号９１８として、Ａ／Ｄコンバータ９０８ヘと転送される。このＣＩＳＳＮＳ信号９１８には所定のデータ保証領域があるため、転送クロックＣＩＳＣＬＫ９１５の立ち上がりタイミングから所定の時間が経過したのちにサンプリングする必要がある。また、ＣＩＳＳＮＳ信号９１８は、転送クロックＣＩＳＣＬＫ９１５の立ち上がりと立下りの双方のエッジに同期して出力される。そのため、ＣＩＳサンプリングクロックＡＤＣＬＫ９１６の周波数は、転送クロックＣＩＳＣＬＫ９１５の２倍となるように生成され、ＣＩＳサンプリングクロックＡＤＣＬＫ９１６の立ち上りエッジにて、ＣＩＳＳＮＳ信号９１８がサンプリングされる。タイミングジェネレータ９１７は、システムクロックＳＹＳＣＬＫ９１４を分周して、ＣＩＳサンプリングクロックＡＤＣＬＫ９１６及び転送クロックＣＩＳＣＬＫ９１５を生成する。ＣＩＳサンプリングクロックＡＤＣＬＫ９１６の位相は、転送クロックＣＩＳＣＬＫ９１５と比べ、データ保証領域分だけ遅延している。
【００３１】
Ａ／Ｄコンバータ９０８でディジタル変換されたＣＩＳＳＮＳ信号９１８は、出力インタフェース回路９０９によって所定のタイミングで制御されて、９１０のＳｌ＿ｏｕｔ信号にシリアルデータとして出力される。その際、スタートパルスＣＩＳＳＴＡＲＴ９０２から所定画素分のＣＩＳＳＮＳ信号９１８には、アナログ出力基準電圧が出力されており、有効画素としては使用できない。一方、９１１の制御回路によって、Ｓｌ＿ｉｎ信号９１２及びＳｌ＿ｓｅｌｅｃｔ信号９１３によりＡ／Ｄコンバータ９０８のＡ／Ｄ変換ゲインが可変制御できる。例えば、撮像した映像のコントラストが得られない場合は、制御ＣＰＵ８０１は、Ａ／Ｄコンバータ９０８のＡ／Ｄ変換ゲインを大きくすることによりコントラストを増加させ、常に最良なコントラストで撮像することができる。
【００３２】
ここでは、すべての画素が一つの出力信号ＣＩＳＳＮＳ信号９１８として出力される系にて説明を行なったが、高速読み取りのために画素をエリアごとに分割し、複数エリアを同時にＡ／Ｄ変換を行なってもよい。また、ここまで画像読取部１００にＣＩＳセンサを用いて説明を行なってきたものの、ＣＭＯＳセンサやＣＣＤセンサ等にて置き換え可能である。
【００３３】
＜送信結果印刷制御＞
次に、図１０乃至図１２を参照して、本実施形態において、画像形成装置１が原稿から取得した画像情報を外部装置へ送信し、その際の送信処理と送信結果印刷を行う制御について説明する。ここでは、画像情報の処理として送信処理を一例に説明するが、本発明はこれに限定されず、例えば、原稿から取得した画像を印刷する処理や、ファクシミリ送信する処理を実行し、当該処理結果を印刷する制御にも適用できる。以下で説明する処理は、画像形成装置１の制御部５によっては制御される。ここでは、制御部５は画像形成装置１の制御ＣＰＵ８０１、ＡＳＩＣ８０２、プログラムメモリ８０３、及びＳＲＡＭ８６０からなる。以下で説明する処理は、制御部５のプログラムメモリ８０３、ＳＲＡＭ８６０のいずれかの記憶部に格納され、その格納されたプログラムに従って制御ＣＰＵ８０１により実行される。
【００３４】
図１０の１０００１は、本実施形態における送信処理設定画面１０００１であり、操作部２０００によって入力や設定を受け付ける。本実施形態によれば、画像形成装置１は、送信処理として外部装置にＥ−ｍａｉｌ送信を行うものとする。これはスキャンした画像を画像形成装置１がＰＤＦやＴｉｆｆ形式に画像データを変換し、ＳＭＴＰ（Ｓｉｍｐｌｅ  Ｍａｉｌ  Ｔｒａｎｓｆｅｒ  Ｐｒｏｔｏｃｏｌ）などによって指定されたアドレスに対して当該画像データを送信する処理である。ただし、本実施形態では送信結果印刷を行う必要がある機能の例としてＥ−ｍａｉｌ送信の利用を挙げているが、これに限らず、ＦＡＸやＩ−ＦＡＸ送信などの送信機能でもよい。本実施形態では、送信処理設定画面１０００１の宛先設定テキストボックス１０００２に対して、Ｅ−ｍａｉｌの送信先アドレスを設定するものとする。また、本実施形態において、送信結果印刷機能の種別として、済スタンプと詳細レポートの２種類を画像形成装置１が印刷できるものとする。
【００３５】
図１１の１１００１は、済スタンプマーク１１００２が印刷されている原稿を示す。この済スタンプは、送信結果を簡易的に形成するものであり、画像形成装置１がその原稿の送信処理を行った証拠を残すために用いられ、スキャンした対象の原稿上において局所的に印字される。本実施形態での済スタンプは「済」というマークのみを印字するものとするが、ほかのマークでの表現でも、印刷日時を含めてもよく、限定はしない。さらに本実施形態では、済スタンプマークはユーザが気づき易くするためと、局所的なマークであることから、スキャン原稿の原稿画像がある面に対して印刷するものとする。これについても限定する意図はなく、原稿画像のない裏面に印刷してもよい。
【００３６】
図１１の１１００３は、送信結果詳細レポート原稿を示す。本実施形態における詳細レポートは、送信結果を詳細に形成したものであり、例えば、送信結果、受付番号、送信アドレス、送信開始時間、送信時間、送信元デバイスシリアル番号、及び送信ユーザを印字するものとする。ただし、あくまで例示であり、これに限定しない。本実施形態では、詳細レポートは印刷する内容が多いことから、白紙の面（例えば、原稿の裏面）に対して印刷するものとする。しかし、通常はスキャンした原稿とは別の白紙原稿に対して印刷されることが多い。
【００３７】
この送信結果印刷機能の種別は、送信処理設定画面１０００１の済スタンプ設定ボタン１０００３、詳細レポート設定ボタン１０００４によって設定可能とする。送信結果印刷無効設定ボタン１０００５を選択すると送信結果印刷機能が無効となる。これらの設定は必ず何れか１つが設定され、一度に複数のボタンを選択することはできない。本実施形態において、済スタンプ設定ボタン１０００３、詳細レポート設定ボタン１０００４、及び送信結果印刷無効設定ボタン１０００５の設定を送信結果印刷設定と総称する。送信処理設定画面１０００１は済スタンプ設定ボタン１０００３が選択され、有効になっている画面の例である。
【００３８】
画像形成装置１はスキャン開始ボタン１０００６が操作部２０００から押下されると、原稿のスキャンとＥ−ｍａｉｌ送信、送信結果印刷機能設定が有効な場合は送信結果印刷を実行する。ここで、本実施形態における画像形成装置１は、送信結果印刷機能において、送信結果印刷における節約機能を有する。送信結果印刷における節約機能とは、詳細レポートのように、白紙の面に対して送信結果印刷を行うものに関して、スキャン原稿が片面のみ印刷されている原稿であれば、スキャン原稿とは別の用紙ではなく、スキャン原稿の裏面の白紙に印刷する機能である。なお、スキャン原稿が既に両面印刷されている場合は、別途他の用紙を使用する。即ち、この機能によって、別途詳細レポート用の用紙を使用することなく、詳細レポートの送信結果印刷を行う際に用紙の消費を抑えることが可能となる。また、スキャン原稿が片面印刷されているか両面印刷されているかは、例えば、片面スキャンであるか両面スキャンであるかに基づいて判定されてもよい。或いは、ユーザ入力に基づいて判定されてもよいし、装置内に設けられたセンサによって印字されているか否かを判定するようにしてもよい。節約機能は、送信処理設定画面１０００１の節約機能有効ボタン１０００８が選択されると有効化され、節約機能無効ボタン１０００８が選択されると無効化される。これらの設定を本実施形態では節約設定と称する。節約設定は、送信結果印刷設定が有効でなければ、即ち、ボタン１００３、１００４の何れかが設定されていなければ、操作部２０００から選択できないものとする。これらの送信処理設定画面１０００１で参照と入力が行われる設定値は、制御部５においてＳＲＡＭ８６０に設定値を取得、保存する。
【００３９】
図１２の１２００〜１２０３は、画像形成装置１が原稿をスキャンし、送信処理と送信結果印刷を行うまでの処理の流れを示す。以下の処理では、画像形成装置１の第２給紙部９０に送信処理したい原稿を載置し、スキャンと送信処理、送信結果印刷を行うものとする。
【００４０】
Ｓ１２０１において、制御部５は、操作部２０００を介してスキャン開始ボタン１０００６が押下されたことを検出し、スキャン開始指示を取得する。なお、この際のスキャン原稿のサイズ、両面スキャンの有無、スキャンのカラーモード、解像度などのスキャンに関する設定は、予めスキャン設定画面に操作部２０００から設定されるものとする。これらの設定を本実施形態ではスキャン設定と称する。スキャン設定は制御部５がＳＲＡＭ８６０に保存する。
【００４１】
次に、Ｓ１２０２において、制御部５は、ＳＲＡＭ８６０から取得したスキャン設定に従って、第２給紙部９０に収納された原稿を両面搬送路８０に給紙し、印刷面に対して画像読取部１００での読み取りを実行する。このときの読み取った原稿の画像情報は画像メモリ８０４に保持され、制御部５によって管理される。
【００４２】
Ｓ１２０２において、制御部５はスキャンが完了したか否かを判定する。スキャンが完了していないと判定した場合Ｓ１２０４に進み、制御部５は、スキャンジャムの発生を検知しているかを判定する。スキャンジャムが発生していない場合はＳ１２０２に処理を戻し、発生している場合はＳ１２０５に進む。
【００４３】
Ｓ１２０５において、制御部５は、操作部２０００にスキャンジャムの発生を検知した旨を表示する。続いて、Ｓ１２０６において、制御部５は、画像形成装置１において、ジャムとなった原稿を取り除くジャムリカバリを受け付ける。ジャムリカバリを受け付けると、Ｓ１２０７において、制御部５は、ジャムリカバリが完了したか否かを判定する。ジャムリカバリを受け付け、完了したと判定すると、Ｓ１２０８に進む。Ｓ１２０８において、制御部５は、ジャムリカバリが完了したと判定すると、Ｓ１２０２に戻り、再スキャン実行指示を操作部２０００から受け付け、再スキャン実行指示を取得して再びスキャンを実行する。
【００４４】
一方、Ｓ１２０２でスキャンが完了したと判定するとＳ１２０９に進み、制御部５は、送信処理を行う。本実施形態における送信処理は、制御部５が画像メモリ８０４に保持された原稿の画像情報をＰＤＦ化し、ＳＭＴＰによってＥ−ｍａｉｌ送信するものとする。Ｓ１２１０において、制御部５は、送信処理が完了したか否かを判定する。完了した場合はＳ１２１１に進み、制御部５は、制御部５は、ＳＲＡＭ８６０から送信結果印刷設定を取得する。
【００４５】
次に、Ｓ１２１２において、制御部５は、ＳＲＡＭ８６０から取得した送信結果印刷設定が有効であるか、即ち、済スタンプ設定ボタン１０００３又は詳細レポート設定ボタン１０００４が有効となっているか否かを判定する。ここで、ＳＲＡＭ８６０から取得した送信結果印刷設定が無効であった場合はＳ１２２７に移行する。即ち、画像形成装置１はスキャン原稿に対して送信処理のみを実行し、送信結果印刷は実行しない。
【００４６】
一方、Ｓ１２１２で送信結果印刷設定が有効であると判定した場合、Ｓ１２１３に進み、制御部５は、ＳＲＡＭ８６０から送信結果印刷節約設定を取得する。続いて、Ｓ１２１４において、制御部５は、ＳＲＡＭ８６０から取得した節約設定が有効であるか否かを判定する。ここで、ＳＲＡＭ８６０から取得した節約設定が有効であればＳ１２１５に進み、制御部５は、取得した送信結果印刷設定の種別が節約機能の対象であるかを否かを判定する。本実施形態において、送信結果印刷設定の種別が詳細レポートである場合、節約機能を適用する。一方、送信結果印刷設定の種別が済スタンプの場合、スキャン原稿の原稿画像がある面に対して印刷を行うため、節約機能は適用されない。
【００４７】
Ｓ１２１４で節約設定が無効であると判定した場合はＳ１２１６に移行する。さらに、Ｓ１２１５で送信結果印刷設定の種別が節約機能の対象ではないと判定した場合、即ち済スタンプ設定が選択された場合も、Ｓ１２１６に移行する。
【００４８】
Ｓ１２１５で送信結果印刷設定の種別が節約機能の対象であると判定した場合、即ち詳細レポート設定が選択された場合、Ｓ１２１７に進み、制御部５は、スキャン設定が片面スキャンか否かを判定する。ここで、スキャン設定が片面スキャンであると判定するとＳ１２１８に進み、制御部５は、スキャン原稿の裏面に詳細レポートの送信結果を印刷する設定し、Ｓ１２２１に進み、送信結果印刷を実行する。一方、Ｓ１２１７でスキャン設定が片面スキャンではなく、両面スキャンあると判定すると、Ｓ１２１９に進み、制御部５は、第１給紙部３０にある別の用紙に詳細レポートの送信結果を印刷する設定をし、Ｓ１２２１に進み、送信結果印刷を実行する。このように、節約設定が有効であれば、送信結果印刷の種別を判断し、別用紙に行う送信結果印刷の種別である場合、別用紙ではなくスキャン原稿の裏面に印刷することで、印刷用紙を節約することが可能となる。
【００４９】
Ｓ１２１６において、制御部５は、送信結果印刷設定がスキャン原稿の原稿画像がある面に対して印刷可能な種別か否かを判定する。本実施形態では、送信結果印刷設定が済スタンプ設定の場合、スキャン原稿の原稿画像がある面に対して印刷可能とする。また、上述のとおり、送信結果印刷設定が詳細レポート設定の場合、スキャン原稿の原稿画像がある面に対して印刷不可能とする。ここで、送信結果印刷設定が原稿画像の面に対して印刷可能な種別ではない、即ち詳細レポート設定である場合、Ｓ１２１９に進み、制御部５は、第１給紙部３０にある別の用紙に送信結果印刷を設定し、Ｓ１２２１に進み、送信結果印刷処理を実行する。一方、送信結果印刷設定が原稿画像の面に対して印刷可能な種別である、即ち済スタンプ設定である場合、Ｓ１２２０に進み、制御部５は、スキャン原稿の表面に送信結果印刷を設定し、Ｓ１２２１に進み、送信結果印刷を実行する。
【００５０】
Ｓ１２２２において、制御部５は、印刷が完了したか否かを判定する。ここで、印刷完了でないと判定した場合Ｓ１２２３に進み、制御部５は、印刷ジャムの発生を検知しているかを判定する。印刷ジャムの発生を検知していれば、Ｓ１２２４に進み、制御部５は、操作部２０００に印刷ジャムの発生を検知した旨を表示する。続いて、Ｓ１２２５において、制御部５は、画像形成装置１に対してジャムとなった原稿を取り除くジャムリカバリを受け付ける。さらに、Ｓ１２２６において、制御部５は、ジャムリカバリが完了したか否か、即ち、ジャムの原因が解消したか否かを判定する。ジャムリカバリが完了していなければ、Ｓ１２２５で再びジャムリカバリを受け付ける。Ｓ１２２６において、制御部５は、ジャムリカバリが完了したと判定すると、Ｓ１２２１に戻り、再び送信結果印刷を実行する。
【００５１】
一方、Ｓ１２２２で印刷ジャムの発生を検知していないと判定すると、Ｓ１２２７に進み、制御部５は、スキャン原稿が最後のページか否かを判定する。スキャン原稿が最後のページではなければ、次の原稿のスキャンを実行するためＳ１２０２に戻る。一方、スキャン原稿が最後のページであれば、制御部５は、処理を終了する。
【００５２】
以上説明したように、本実施形態によれば、画像形成装置１が送信結果印刷を行う際に、節約設定と送信結果印刷の種別に応じて送信結果印刷を行う用紙や位置（面）を切り替える制御である。具体的には、本実施形態に係る画像形成装置１は、節約設定が有効で、かつ、済スタンプ設定の場合は、画像読み取った原稿の表面に済スタンプを形成する。また、画像形成装置１は、節約設定が有効で、かつ、詳細レポート設定である場合は、画像を読み取った原稿が片面印刷であればその裏面に詳細レポートを形成し、両面印刷であれば別用紙に詳細レポートを印刷する。また、画像形成装置１は、節約設定が無効の場合、済スタンプについては原稿の表面に形成し、詳細レポートについては別用紙に印刷する。上述の制御によって、送信結果印刷を別用紙に行う種別である場合、所定の条件を満たす場合には別用紙ではなくスキャン原稿の裏面に送信結果の詳細レポートを印刷することで、印刷用紙の節約を実現できる。
【００５３】
＜第２の実施形態＞
以下では、図１０、図１１、図１３を参照して、本発明の第２の実施形態について説明する。上記第１の実施形態では、送信結果印刷を行う際に、送信結果印刷設定の種別に関わらず、スキャンして送信処理を行った原稿１ページ毎に送信結果印刷を実行していた。しかしながら、詳細レポートのような多くの項目を送信結果印刷する場合、送信処理を行う原稿が複数枚であれば、１ページずつ送信結果印刷を行うのではなく、全てのページの送信結果をまとめて送信結果印刷したほうが容易に前頁の内容が把握可能である。そこで、本実施形態では、上記第１の実施形態の画像形成装置１の処理に加え、送信結果印刷を１ページに一括で行う場合の制御について説明する。本実施形態では、複数ページの送信結果印刷を１つのページにまとめて行う機能を送信結果一括印刷機能と称する。
【００５４】
本実施形態における送信結果一括印刷機能を有する画像形成装置１の制御について図１０の１０２０１、図１１の１１００４、図１３を参照して詳細に説明する。なお、本実施形態において、画像形成装置１の構成、原稿の読み取りや送信処理、送信結果印刷の処理など、説明しない部分については、上記第１の実施形態と同じである。
【００５５】
図１０の１０２０１は、本実施形態における送信処理設定画面であり、操作部２０００によって入力や設定を受け付ける。画面１０２０１は、上記第１の実施形態の画面１０００１の構成に加えて、送信結果一括印刷機能の有効と無効を設定する送信結果一括印刷設定有効ボタン１０２１０と送信結果一括印刷設定無効ボタン１０２１１が追加となる。これらの設定を本実施形態では送信結果一括印刷設定と称する。この送信結果一括印刷設定は、送信結果印刷設定において詳細レポート設定が有効な場合のみ、設定可能となる。送信結果一括印刷設定も他の設定と同様に制御部５が設定値をＳＲＡＭ８６０に保存、参照する。
【００５６】
＜送信結果印刷制御＞
本実施形態における図１３に示す処理は、上記第１の実施形態における図１２の処理に対し、Ｓ１３０１〜Ｓ１３０の処理が追加される。この追加、変更となる処理は、画像形成装置１の送信結果一括印刷機能に関する処理の追加によるものである。他の処理については、図１２のフローチャートと同一の番号を付し、説明を省略する。
【００５７】
Ｓ１２１２において、制御部５は、ＳＲＡＭ８６０から取得した送信結果印刷設定が有効であるか否かを判定する。ここで、有効であると判定すると、Ｓ１３０１に進み、制御部５は、ＳＲＡＭ８６０から送信結果一括印刷設定を取得し、Ｓ１３０２に移行する。Ｓ１３０２において、制御部５は、ＳＲＡＭ８６０から取得した送信結果一括印刷設定が有効であるか否かを判定する。ここで、送信結果一括印刷設定が無効でれば、Ｓ１２１３に移行する。一方、送信結果一括印刷設定が有効であればＳ１３０３に進み、制御部５は、送信結果一括印刷用のデータを生成、更新し、Ｓ１２２７に進む。
【００５８】
図１１の１１００４は、送信結果一括印刷機能により印刷された全送信結果詳細レポート原稿を示す。上記第１の実施形態の１１００３の内容に加え、送信枚数の項目が追加となる。本実施形態におけるＳ１３０３の処理では、この送信枚数の値が更新される。
【００５９】
Ｓ１３０３の処理後、Ｓ１２２７において、制御部５は、スキャン原稿が最後のページか否かを判定する。スキャン原稿が最後のページではないと判定すると、Ｓ１２０２に処理を戻す。一方、スキャン原稿が最後のページであると判定すると、Ｓ１３０４に進み、制御部５は、ＳＲＡＭ８６０から取得した送信結果一括印刷設定が有効であるか否かを判定する。送信結果一括印刷設定が無効であれば、Ｓ１２２１に進み、制御部５は、送信結果印刷を実行する。つまり、上記第１の実施形態で説明したようにページ毎に送信結果印刷を実行する。
【００６０】
一方、送信結果一括印刷設定が有効であれば、制御部５は、ＳＲＡＭ８６０から節約設定を取得する。続いて、Ｓ１３０６において、制御部５は、ＳＲＡＭ８６０から取得した節約設定が有効であるか否かを判定する。ＳＲＡＭ８６０から取得した節約設定が無効であれば、Ｓ１３０９に進み、制御部５は、第１給紙部３０にある別用紙に詳細レポートの送信結果一括印刷を設定し、Ｓ１２２１に進む。一方、ＳＲＡＭ８６０から取得した節約設定が有効であればＳ１３０７に進み、制御部５は、スキャン設定が片面スキャンか否かを判定する。
【００６１】
スキャン設定が片面スキャンであれば、Ｓ１３０８に進み、制御部５は、スキャン原稿の裏面に詳細レポートの送信結果一括印刷を設定し、Ｓ１２２１に進む。スキャン設定が片面スキャンではなく、両面スキャンあれば、Ｓ１３０９に進み、制御部５は、第１給紙部３０にある別用紙に詳細レポートの送信結果一括印刷を設定し、Ｓ１２２１に進む。これらの処理によって、送信結果一括印刷設定が有効であれば、ページ毎にではなくスキャンした原稿のすべての送信結果をまとめて印刷可能となる。さらに、節約設定が有効であれば、送信結果一括印刷をスキャン原稿の裏面に印刷することができ、印刷用紙を節約することが可能となる。
【００６２】
Ｓ１２２１の実行後Ｓ１２２２において、制御部５は、印刷が完了したか否かを判定する。印刷が完了していなければＳ１２２３に進み、印刷が完了していると判定すると、Ｓ１３１０に進み、制御部５は、ＳＲＡＭ８６０から取得した送信結果一括印刷設定が有効であるか否かを判定する。ここで、送信結果一括印刷設定が無効であると判定すると、Ｓ１２２７に移行にし、有効であると判定すると送信処理を終了する。
【００６３】
以上説明したように、本実施形態に係る画像形成装置１は、送信結果一括印刷設定に従って複数ページの送信結果印刷をまとめて行うか否かを制御する。上述の制御によって、上記第１の実施形態の効果に加えて、さらに、原稿を節約しながら複数ページの送信結果印刷を一括で印刷することが可能となる。
【００６４】
＜第３の実施形態＞
以下では、図１０及び図１３を参照して、本発明の第３の実施形態について説明する。上記第１及び第２の実施形態では、スキャン又は印刷時にジャムの発生を検知した場合、ジャムリカバリ後にジャムとなった原稿に対して送信結果印刷を行っていた。しかしながら、ジャムとなった原稿は折れや破れなどにより、送信結果印刷ができない又は印刷がかすれてしまう場合も考えられる。この場合、別の用紙に送信結果印刷を行う必要がある。そこで、本実施形態では、原稿の読取中、又は、送信結果の形成中にジャムとなった場合に別の用紙に送信結果印刷を行う制御を設ける。また、この際、本来はスキャン原稿の裏面に送信結果印刷を行いたかったが、ジャム発生によって別の用紙に送信結果印刷を行うため、スキャン原稿の画像と送信結果印刷の画像が２枚に分かれてしまう。そのため本実施形態では、ジャムとなった場合に別の用紙に送信結果印刷を行う場合、その送信結果印刷した用紙の表面にスキャンした原稿の画像を印刷する制御をさらに設ける。
【００６５】
本実施形態では、上記第１及び第２の実施形態に係る画像形成装置１の処理に加え、スキャン原稿に送信結果印刷を行う設定をしていた場合でもジャムの発生を検知したならば別の用紙に送信結果印刷を実行する制御について説明する。本実施形態ではジャムの発生を検知した場合に印刷対象とは別の用紙に送信結果印刷を行う機能をジャム時別用紙印刷機能と称する。さらに、本実施形態では、ジャム時別用紙印刷機能が有効なときに、送信結果印刷した別用紙にスキャン画像を印刷する制御についても説明する。本実施形態ではこの機能をスキャン原稿再印刷機能（再形成）と称する。なお、本実施形態において、画像形成装置１の構成、原稿の読み取りや送信処理、送信結果印刷の処理など、説明しない部分については、上記第１及び第２の実施形態と同じである。
【００６６】
図１０の１０３０１は、本実施形態における送信処理設定画面であり、操作部２０００によって入力や設定を受け付ける。画面１０３０１は、第２の実施形態における画面１０２０１の内容に加えて、ジャム時別用紙印刷機能の有効と無効を設定するジャム時別用紙印刷設定有効ボタン１０３１２と、ジャム時別用紙印刷設定無効ボタン１０３１３が追加される。これらの設定を本実施形態ではジャム時別用紙印刷設定と称する。さらに、スキャン原稿再印刷機能の有効と無効を設定するスキャン原稿再印刷有効ボタン１０３１４とスキャン原稿再印刷無効ボタン１０３１５とが追加される。これらの設定を本実施形態ではスキャン原稿再印刷設定と称する。このジャム時別用紙印刷設定及びスキャン原稿再印刷設定は、送信結果印刷設定が有効な場合のみ、設定可能となる。また、これらの設定は他の設定と同様に制御部５が設定値をＳＲＡＭ８６０に保存、参照する。
【００６７】
＜送信結果印刷制御＞
本実施形態における図１４の処理は、上記第２の実施形態の図１３の処理に加えて、Ｓ１４０１〜Ｓ１４０９の処理が追加される。この追加、変更となる処理は、画像形成装置１の送信結果一括印刷機能に関する処理の追加によるものであり、詳細は後述する。他の処理については、図１３のフローチャートと同一の番号を付し、説明を省略する。
【００６８】
Ｓ１２０７で発生したスキャンジャムをリカバリしたと判定すると、Ｓ１４０１に進み、制御部５は、ＳＲＡＭ８６０のジャムフラグをＯＮに設定する。このジャムフラグとはスキャン又は印刷対象となる原稿について、ジャムの発生を検知したか否かの状態を示すもので原稿の面毎に情報が保持される。ジャムフラグを格納するＳＲＡＭ８６０の領域はジョブの開始前に初期化される。その後、Ｓ１２０８に移行する。Ｓ１２０８乃至Ｓ１２２０までの処理の説明は上記第１及び第２の実施形態と同様のため、割愛する。
【００６９】
Ｓ１２２０の処理の後、Ｓ１４０２の処理に移行する。Ｓ１４０２において、制御部５は、ＳＲＡＭ８６０からジャム時別用紙印刷設定を取得する。続いて、Ｓ１４０３において、制御部５は、ＳＲＡＭ８６０から取得したジャム時別用紙印刷設定が有効であるか否かを判定する。ここで、ジャム時別用紙印刷設定が無効であれば、Ｓ１２２１に進み、制御部５は送信結果印刷を実行する。つまり、上記第１及び第２の実施形態で説明したようにジャムとなった原稿を考慮せずに、ページ毎に送信結果印刷を実行する。
【００７０】
一方、ジャム時別用紙印刷設定が有効であれば、Ｓ１４０４に進み、制御部５は、ＳＲＡＭ８６０から現在の送信結果印刷対象ページのジャムフラグを取得する。続いて、Ｓ１４０５において、制御部５は、現在の送信結果印刷対象ページのジャムフラグが有効であるか否かを判定する。ここで、現在の送信結果印刷対象ページのジャムフラグが無効であれば、Ｓ１２２１に進み、制御部５は、送信結果印刷を実行する。
【００７１】
一方、現在の送信結果印刷対象ページのジャムフラグが有効であれば、Ｓ１４０６に進み、制御部５は、ＳＲＡＭ８６０からスキャン原稿再印刷設定を取得する。続いて、Ｓ１４０７において、制御部５は、スキャン原稿再印刷設定が有効であるか否かを判定する。ここで、スキャン原稿再印刷設定が無効であると判定すると、Ｓ１４０８に進み、制御部５は、送信結果印刷を別用紙に設定し、Ｓ１２２１に進む。これらの処理により、ジャムとなった原稿が送信結果印刷の対象だとしても、別の用紙に送信結果を印刷することが可能となる。さらに、ジャムとなった原稿の折れや破れなどにより、送信結果印刷ができない又は印刷がかすれてしまうことを防ぐことができる。
【００７２】
Ｓ１４０７でスキャン原稿再印刷設定が有効であると判定すると、Ｓ１４０９に進み、制御部５は、別用紙にスキャン原稿の画像データを印刷する。そしてＳ１４０８に移行する。これにより、ジャムの発生のため送信結果印刷の原稿が別の用紙になったとしても、スキャンした画像のデータを印刷することで原稿の画像と送信結果とを１つの原稿にまとめることが可能となる。
【００７３】
以上説明したように、本実施形態によれば、節約機能を有する画像形成装置１がジャム発生時に別の用紙に送信結果印刷を行う制御と、スキャン原稿も別の用紙に印刷する制御とを行う。上述の制御によって、原稿を節約しながら送信結果印刷を行いつつ、ジャムとなった場合はきれいな用紙に送信結果を印刷することができる。
【００７４】
＜その他の実施形態＞
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【図１】
2015046792.tif 000003
【図２】
2015046792.tif 000004
【図３】
2015046792.tif 000005
【図４】
2015046792.tif 000006
【図５】
2015046792.tif 000007
【図６】
2015046792.tif 000008
【図７】
2015046792.tif 000009
【図８】
2015046792.tif 000010
【図９】
2015046792.tif 000011
【図１０】
2015046792.tif 000012
【図１１】
2015046792.tif 000013
【図１２】
2015046792.tif 000014
【図１３】
2015046792.tif 000015
【図１４】
2015046792.tif 000016